(57)【特許請求の範囲】
【請求項１】
円筒状の基部（２２ａ）の外周の周方向に等間隔をあけた複数箇所にポール（２２ｂ）が設けられて成るステータコア（２２）と、各ポール（２２ｂ）をそれらの先端面が外部に臨むようにして個別に覆う複数のポール被覆部（２３ａ）を有して前記ステータコア（２２）を覆う合成樹脂製のボビン（２３）とを備えたステータにおける前記各ポール被覆部（２３ａ）にワイヤ（２４）を巻付けるための、ステータ用ボビンに対するワイヤのワイヤ巻線装置であって、
巻付け対象の前記ポール被覆部（２３ａ）が所定の巻付け位置（Ｓ）に配置された状態で、該巻付け対象のポール被覆部（２３ａ）の両側のスロット（２５）に前記ワイヤ（２４）を案内すべく前記ステータコア（２２）の外方に固定配置される一対のサイドフォーマ（２６）と、
前記巻付け位置（Ｓ）に配置された巻付け対象のポール被覆部（２３ａ）の中心部を通って前記ステータコア（２２）の軸線と直交するように軸線が設定される回転軸（３０）に基端部が固定されて該回転軸（３０）と一体に回転するフライヤ（３１）と、
そのフライヤ（３１）の、回転軸（３０）軸線から側方にずれた位置に配置される先端部に設けられ、ワイヤ送り出し手段から送り出されるワイヤ（２４）の中間部を走行可能に支持するワイヤ支持部（３４）と、
前記ステータコア（２２）の半径方向に移動可能であると共に、前記巻付け対象のポール被覆部（２３ａ）へのワイヤ（２４）の巻付け位置を規制可能であるメインフォーマ（４５）とを備えたものにおいて、
前記ステータコア（２２）の軸線に沿う少なくとも一端側で各ポール被覆部（２３ａ）の基端部には、各ポール被覆部（２３ａ）に巻装されるワイヤ（２４）を巻掛け得る第１の突起（５４）が、また同じく各ポール被覆部（２３ａ）の先端部には、ワイヤ（２４）の最外層が各ポール被覆部（２３ａ）から離脱するのを防止し得る第２の突起（５５）がそれぞれ突設され、
前記メインフォーマ（４５）は、前記巻付け対象であるポール被覆部（２３ａ）をステータコア（２２）の軸線方向で両側から挟む一対のガイド部（４０，４１）と、前記巻付け対象であるポール被覆部（２３ａ）の外端面に接触可能として両ガイド部（４０，４１）間に摺動可能に配置される当接板部（４２）と、その当接板部（４２）をポール被覆部（２３ａ）との接触方向に付勢するばね（４３）とを備えると共に、前記ガイド部（４０，４１）には、該ガイド部（４０，４１）が前記第１，第２の突起（５４，５５）にかかわらず前記ポール被覆部（２３ａ）の基端から先端まで自由に移動できるように、該第１，第２の突起（５４，５５）に対応した溝（５６，５７）が設けられることを特徴とする、ステータ用ボビンに対するワイヤのワイヤ巻線装置。
【請求項２】
前記ポール被覆部（２３ａ）の縦断面形状が、各ポール（２２ｂ）の両側を覆う一対の側板部（５１）と、ステータコア（２２）の軸線に沿う各ポール（２２ｂ）の両端を覆って前記両側板部（５１）の両端間を結ぶとともに外方側に半円状に膨らんだ一対の彎曲端部（５２）とから成ることを特徴とする、請求項１記載のステータ用ボビンに対するワイヤのワイヤ巻線装置。
【請求項３】
請求項１または２記載のステータ用ボビンに対するワイヤのワイヤ巻線装置を用いて実行されるボビンへの巻線方法であって、
ボビン（２３）の周方向に隣接する１または複数のポール被覆部（２３ａ）を相互間に挟む位置に配置される一対のポール被覆部（２３ａ）に、わたり線（２４ａ）で相互に連なる同一種類のワイヤ（２４）を巻付けるにあたり、少なくとも前記一対のポール被覆部（２３ａ）間の１または複数のポール被覆部（２３ａ）の前記第１の突起（５４）よりもステータコア（２２）の半径方向内方側に前記わたり線（２４ａ）を配置するようにして、各ポール被覆部（２３ａ）にワイヤ（２４）を巻付けることを特徴とする、ステータ用ボビンに対するワイヤの巻線方法。
【発明の詳細な説明】
【０００１】
【発明の属する技術分野】
本発明は、円筒状の基部の外周の周方向に等間隔をあけた複数箇所にポールが設けられて成るステータコアと、各ポールをそれらの先端面が外部に臨むようにして個別に覆う複数のポール被覆部を有して前記ステータコアを覆う合成樹脂製のボビンと、前記各ポール被覆部に巻付けられるワイヤとで構成されるステータにおいて、ボビン構造の改良ならびにボビンへの巻線方法の改良に関する。
【０００２】
【従来の技術】
ステータにおけるボビンの各ポール被覆部にワイヤを巻付ける方法および装置が、たとえば特開平１０−１１２９６２号公報等で既に知られている。
【０００３】
【発明が解決しようとする課題】
ところで、各ポール被覆部にワイヤを巻付けるための巻線機は、ポール被覆部を上下から挟むようにしてステータコアの半径方向に移動可能なメインフォーマを備えるものであり、そのメインフォーマにより各ポール被覆部へのワイヤの巻付け位置を規制するようにしている。すなわちメインフォーマがポール被覆部の基端側に在る状態でポール被覆部へのワイヤの巻付けが開始され、メインフォーマがポール被覆部の基端側から先端側に移動するのに応じてワイヤがポール被覆部に順次巻付けられることになる。
【０００４】
しかるに上記従来のものでは、ポール被覆部への巻付け開始時にワイヤが固定されておらず、メインフォーマの移動に応じて巻付け位置を順次ずらせてポール被覆部に巻付けていくうちに、ワイヤの巻始め位置がポール被覆部の先端側にずれてしまうことがあり、複数のポール被覆部に同一の整列状態でワイヤを巻付けることが困難である。
【０００５】
本発明は、かかる事情に鑑みてなされたものであり、ワイヤの巻始め位置がずれてしまうことを防止し、複数のポール被覆部に同一の整列状態でワイヤを巻付けることを可能としたステータ用ボビンに対するワイヤのワイヤ巻線装置を提供することを第１の目的とする。
【０００６】
またワイヤをポール被覆部に複数層をなして巻付ける際に、最外層のワイヤをポール被覆部の中間部で巻き終えたいことがあるが、ボビンの周方向に隣接する１または複数のポール被覆部を相互間に挟む位置に配置される一対のポール被覆部にわたり線で相互に連なる同一種類のワイヤを巻付けるにあたり、上述のようにワイヤの巻終わり位置がポール被覆部の中間部である場合には、わたり線が前記一対のポール被覆部間に配置されている他のポール被覆部に干渉してしまい、最外層のワイヤをポール被覆部の中間部で巻終える構成とすることが困難となることがある。
【０００７】
本発明は、かかる事情に鑑みてなされたものであり、ワイヤの巻終わり位置にかかわらず、わたり線がポール被覆部に干渉することを回避し得るようにしたボビンへの巻線方法を提供することを第２の目的とする。
【０００８】
【課題を解決するための手段】
上記第１の目的を達成するために、請求項１記載の発明は、円筒状の基部の外周の周方向に等間隔をあけた複数箇所にポールが設けられて成るステータコアと、各ポールをそれらの先端面が外部に臨むようにして個別に覆う複数のポール被覆部を有して前記ステータコアを覆う合成樹脂製のボビンとを備えたステータにおける前記各ポール被覆部にワイヤを巻付けるための、ステータ用ボビンに対するワイヤのワイヤ巻線装置であって、
巻付け対象の前記ポール被覆部が所定の巻付け位置に配置された状態で、該巻付け対象のポール被覆部の両側のスロットに前記ワイヤを案内すべく前記ステータコアの外方に固定配置される一対のサイドフォーマと、前記巻付け位置に配置された巻付け対象のポール被覆部の中心部を通って前記ステータコアの軸線と直交するように軸線が設定される回転軸に基端部が固定されて該回転軸と一体に回転するフライヤと、そのフライヤの、回転軸軸線から側方にずれた位置に配置される先端部に設けられ、ワイヤ送り出し手段から送り出されるワイヤの中間部を走行可能に支持するワイヤ支持部と、前記ステータコアの半径方向に移動可能であると共に、前記巻付け対象のポール被覆部へのワイヤの巻付け位置を規制可能であるメインフォーマとを備えたものにおいて、
前記ステータコアの軸線に沿う少なくとも一端側で各ポール被覆部の基端部には、各ポール被覆部に巻装されるワイヤを巻掛け得る第１の突起が、また同じく各ポール被覆部の先端部には、ワイヤの最外層が各ポール被覆部から離脱するのを防止し得る第２の突起がそれぞれ突設され、前記メインフォーマは、前記巻付け対象であるポール被覆部をステータコアの軸線方向で両側から挟む一対のガイド部と、前記巻付け対象であるポール被覆部の外端面に接触可能として両ガイド部間に摺動可能に配置される当接板部と、その当接板部をポール被覆部との接触方向に付勢するばねとを備えると共に、前記ガイド部には、該ガイド部が前記第１，第２の突起にかかわらず前記ポール被覆部の基端から先端まで自由に移動できるように、該第１，第２の突起に対応した溝が設けられることを特徴とする。
【０００９】
このような請求項１記載の発明の構成によれば、ポール被覆部の基端部に突設される第１の突起に、ポール被覆部へのワイヤの巻付け開始時に該ワイヤを巻掛けておくことにより、ワイヤの巻始め位置がポール被覆部の先端側にずれてしまうことを回避してワイヤの巻始め位置を各ポール被覆部で同一位置に保持することができ、各ポール被覆部に同一の整列状態でワイヤを巻付けることが可能となる。
【００１０】
また上記ポール被覆部の先端部に第２の突起が設けられるので、ワイヤの最外層が各ポール被覆部から離脱するのを防止することができる。而して、従来のステータ用ボビンでは、ワイヤの離脱を防止するための鍔部がポール被覆部の先端部全周にわたって設けられており、メインフォーマの一対のガイド部はポール被覆部の先端部において前記鍔部との干渉を避けるべく上下に開くように作動しなければならず、そのためポール被覆部の先端部ではワイヤの巻付け位置を両ガイド部で定めることができず、ポール被覆部の先端部におけるワイヤの巻付け位置がポール被覆部によって変化しがちとなっていたが、本発明では、第２の突起に対応した溝を有する一対のガイド部を第２の突起の内面と面一となるように定めた状態でポール被覆部にワイヤを巻付けることにより、ポール被覆部の先端部におけるワイヤの巻付け位置を両ガイド部で確実に定めることができ、どのポール被覆部でもポール被覆部の先端部でのワイヤの巻付け位置を一定に定めることが可能となる。
【００１１】
また請求項２記載の発明は、上記請求項１記載の発明の構成に加えて、前記ポール被覆部の縦断面形状が、各ポールの両側を覆う一対の側板部と、ステータコアの軸線に沿う各ポールの両端を覆って前記両側板部の両端間を結ぶとともに外方側に半円状に膨らんだ一対の彎曲端部とから成ることを特徴とし、かかる構成によれば、ポール被覆部の外面との間に隙間が生じないようにしてワイヤをポール被覆部に滑らかに巻付けることができ、ワイヤに屈曲部が生じないようにしてワイヤに損傷が生じるのを防止することができる。
【００１２】
さらに請求項３記載の発明は、上記請求項１または２記載のステータ用ボビンに対するワイヤのワイヤ巻線装置を用いて実行されるボビンへの巻線方法であって、ボビンの周方向に隣接する１または複数のポール被覆部を相互間に挟む位置に配置される一対のポール被覆部に、わたり線で相互に連なる同一種類のワイヤを巻付けるにあたり、少なくとも前記一対のポール被覆部間の１または複数のポール被覆部の前記第１の突起よりもステータコアの半径方向内方側に前記わたり線を配置するようにして、各ポール被覆部にワイヤを巻付けることを特徴とする。
【００１３】
このような請求項３記載の発明の方法によれば、突起よりもステータコアの半径方向内方側にわたり線を配置するので、ポール被覆部に巻付けられる複数層のワイヤのうち最外層のワイヤの巻終わり位置がポール被覆部の中間部であったとしても、わたり線が他のポール被覆部に干渉することがなく、最外層のワイヤをポール被覆部の中間部で巻終える構成とすることが可能となる。
【００１４】
【発明の実施の形態】
以下、本発明の実施形態を、添付図面に示した本発明の実施例に基づいて説明する。
【００１５】
図１〜図１６は本発明の第１実施例を示すものであり、図１はボビンの一部を切欠いて示すステータの平面図、図２はワイヤ巻付け前のステータコアおよびボビンの斜視図、図３は図２で示したステータコアおよびボビンの平面図、図４は巻線機の一部を示す斜視図、図５はワイヤ巻付け途中の状態を図３の５−５線に沿って示す断面図、図６は図５の６−６線断面図、図７はワイヤ巻始めの状態を示す平面図、図８は図７の状態での斜視図、図９はワイヤ巻付け途中の状態を示す平面図、図１０は図９の状態での斜視図、図１１は一層目の巻終わり時を示す平面図、図１２は図１１の状態での斜視図、図１３はポール被覆部へのワイヤ巻終わり状態を示す平面図、図１４は次のポール被覆部へのワイヤ巻付けまでの途中の状態を示す平面図、図１５は次のポール被覆部へのワイヤ巻始めの状態を示す平面図、図１６は次のポール被覆部へのワイヤ巻終わり状態を示す平面図である。
【００１６】
先ず図１〜図３において、アウターロータ型発電機等に用いられるステータ２１は、ステータコア２２と、該ステータコア２２を覆う合成樹脂製のボビン２３と、ボビン２３に巻付けられるワイヤ２４，２４…とから成る。
【００１７】
ステータコア２２は、円筒状の基部２２ａと、該基部２２ａの外周の周方向に等間隔をあけた複数箇所に設けられる複数のポール２２ｂ，２２ｂ…とから成るものであり、各ポール２２ｂ…は、ステータコア２２の軸方向に長い矩形状の縦断面形状を有するとともに横断面形状が略Ｔ字形となるように形成される。
【００１８】
ボビン２３は、各ポール２２ｂ，２２ｂ…をそれらのポール２２ｂ，２２ｂ…の先端面が外部に臨むようにして個別に覆う複数のポール被覆部２３ａ，２３ａ…を有してステータコア２２を覆うものであり、各ポール被覆部２３ａ，２３ａ…相互間には、スロット２５…がそれぞれ形成される。
【００１９】
ところで、ステータ２１にはＵ相，Ｖ相およびＷ相のコイルが装着されるものであり、Ｕ相のコイルを構成するワイヤ２４はステータコア２２の周方向に沿って２つおきのポール被覆部２３ａ，２３ａ…に巻付けられ、Ｖ相のコイルを構成するワイヤ２４は、Ｕ相のコイルを構成するワイヤ２４が巻付けられるポール被覆部２３ａ，２３ａ…に隣接するようにしてステータコア２２の周方向に沿って２つおきに配置されるポール被覆部２３ａ，２３ａ…に巻付けられ、Ｗ相のコイルを構成するワイヤ２４は、Ｕ相およびＶ相のコイルを構成するワイヤ２４，２４が巻付けられるポール被覆部２３ａ，２３ａ…相互間に位置するようにしてステータコア２２の周方向に沿って２つおきに配置されるポール被覆部２３ａ，２３ａ…に巻付けられる。
【００２０】
図４において、各ポール被覆部２３ａ，２３ａ…にワイヤ２４を巻付けるにあたり、ステータコア２２は、該ステータコア２２の軸線と同軸の鉛直軸線まわりに回転可能な回転テーブル（図示せず）上に位置決め載置され、該回転テーブルの周方向１箇所に設定された巻付け位置Ｓに巻付け対象であるポール被覆部２３ａ，２３ａ…を順次もたらすようにして前記回転テーブルが間欠的に角変位される。
【００２１】
各ポール被覆部２３ａ，２３ａ…のうち巻付け対象であるポール被覆部２３ａが前記巻付け位置Ｓに配置された状態で、巻付け対象であるポール被覆部２３ａの両側のスロット２５，２５にワイヤ２４を案内するための一対のサイドフォーマ２６，２６が、ステータコア２２の外方に固定配置される。これらのサイドフォーマ２６，２６は、ステータコア２２の外周にほぼ対応して円弧状に彎曲した全体形状を有するものであり、しかも前記巻付け位置Ｓに配置された巻付け対象であるポール被覆部２３ａに近接するにつれて上下方向の幅を漸減させるように形成される。
【００２２】
ステータコア２２の軸線および前記巻付け位置Ｓを通る水平な直線と平行な一対のレール２７…が床面上に敷設されており、それらのレール２７…上には、前記巻付け位置Ｓに対して近接・離反する台車２８が載せられる。
【００２３】
台車２８上には、支持板２９が立設されており、巻付け位置Ｓに配置された巻付け対象のポール被覆部２３ａの中心部を通ってステータコア２２の軸線と直交するように軸線が設定される回転軸３０が、軸線まわりの回転を可能として支持板２９に支承される。
【００２４】
回転軸３０の前記巻付け位置Ｓ側の先端にはフライヤ３１の基部３１ａが固定されており、フライヤ３１は回転軸３０とともに回転可能である。しかも回転軸３０の軸線から側方にずれた位置に配置されるフライヤ３１の先端には、相互間にワイヤ２４を挟む一対のローラ３２，３３から成るワイヤ支持部３４が、ワイヤ２４を走行可能に支持するようにして設けられる。したがってワイヤ支持部３４は、回転軸３０とともにフライヤ３１が回転するのに伴って回転軸３０の軸線まわりに円形軌道を描くように旋回することになる。
【００２５】
フライヤ３１および支持板２９間で回転軸３０の側壁には引き出し孔３５が設けられるとともに、該引き出し孔３５に配置されるアイドルプーリ３６が回転自在に支承されており、回転軸３０内で該アイドルプーリ３６に巻掛けられて引き出し孔３５から外方に引出されたワイヤ２４は、フライヤ３１に回転自在に支承されたアイドルプーリ３７に巻掛けられるとともに、フライヤ３１の先端部に設けられた挿通孔３８に挿通される。而して前記ワイヤ支持部３４は挿通孔３８の前方に配置されるものであり、挿通孔３８からのワイヤ２４がワイヤ支持部３４で走行可能に支持される。すなわち図示しないワイヤ送り出し手段から送り出されるワイヤ２４の中間部がワイヤ支持部３４で走行可能に支持されることになる。
【００２６】
フライヤ３１の基部３１ａおよび巻付け位置Ｓ間には、巻付け対象であるポール被覆部２３ａを上下から挟む上下ガイド部４０，４１と、前記巻付け対象であるポール被覆部２３ａの外端面に接触可能として上下ガイド部４０，４１間に摺動可能に配置される当接板部４２と、該当接板部４２を前記巻付け対象であるポール被覆部２３ａの外端面に接触させる方向のばね力を発揮するばね４３とが、フォーマ主部４４に配設されて成るメインフォーマ４５が配置される。
【００２７】
このメインフォーマ４５におけるフォーマ主部４４は、軸線方向の相対移動を不能とするとともに軸線まわりの相対回転を可能として回転軸３０に支承される。しかもフォーマ主部４４ならびに支持板２９には同径、同軸のギヤ４６，４７がそれぞれ固定されており、両ギヤ４６，４７にそれぞれ噛合する一対のピニオン４８，４９が、回転軸３０と平行な軸線を有する軸５０の両端に固定され、該軸５０はフライヤ３１の基部３１ａで回転自在に支承される。これによりメインフォーマ４５は、回転軸３０の回転にもかかわらず該回転軸３０の軸線まわりに回転せずにフライヤ３１の前方に配置されることになる。
【００２８】
図５および図６において、ワイヤ２４を巻付けるべきポール被覆部２３ａは、ポール２２ｂの両側を覆う一対の側板部５１，５１と、ステータコア２２の軸線に沿うポール２２ｂの両端を覆って前記両側板部５１，５１の両端間を結ぶとともに外方側に半円状に膨らんだ一対の彎曲端部５２，５２とから成る縦断面形状を有するように形成されており、前記両側板部５１，５１の先端部両側には、ポール被覆部２３ａに巻付けられるワイヤ２４の巻付け端を規制するための鍔部５３，５３が側方に張出すようにして一体に連設される。
【００２９】
ステータコア２２の軸線に沿う少なくとも一端側（この実施例では両端側）において、ポール被覆部２３ａの基端部には、ワイヤ２４を巻掛け得る突起５４，５４が突設され、ポール被覆部２３ａの先端部には、ポール被覆部２３ａにたとえば２層の中間部まで巻付けられるワイヤ２４の最外層が、ポール被覆部２３ａから離脱してしまうことを防止するための突起５５，５５がそれぞれ突設される。
【００３０】
一方、メインフォーマ４５における上下ガイド部４０，４１には、ポール被覆部２３ａの前記突起５４，５４，５５，５５に対応した溝５６，５７が設けられており、メインフォーマ４５の上下ガイド部４０，４１は、前記各突起５４，５４，５５，５５にかかわらず、ポール被覆部２３ａの基端から先端まで自由に移動可能である。
【００３１】
Ｕ相，Ｖ相およびＷ相の各コイルは、ステータコア２２の周方向に２つおきのポール被覆部２３ａ…に、この実施例ではワイヤ２４を２層目の中間部までそれぞれ巻付けることにより構成されるのであるが、Ｕ相，Ｖ相およびＷ相の各コイルを構成するためにポール被覆部２３ａにワイヤ２４を巻付けるにあたっては、図７および図８で示すように、先ず巻付け位置Ｓにもたらされたポール被覆部２３ａの基端部の突起５４，５４にワイヤ２４を巻掛ける。その際、ステータコア２２の半径方向に沿って前記突起５４，５４よりも内方側をワイヤ２４が通るように、メインフォーマ４５の上下ガイド部４０，４１をポール被覆部２３ａの最基端側に配置しておくことにより、フライヤ３１の旋回作動に応じてワイヤ２４が突起５４に巻掛けられる。
【００３２】
次いで図９および図１０で示すように、メインフォーマ４５をポール被覆部２３ａの基端部から先端側に移動させつつ、ポール被覆部２３ａにワイヤ２４を巻付けていく。而してポール被覆部２３ａの先端部でのワイヤ２４の巻付け時には、図１１および図１２で示すように、メインフォーマ４５の上下ガイド部４０，４１の位置をポール被覆部２３ａの先端部における突起５５，５５の内面と面一となるように定めた状態で、ポール被覆部２３ａにワイヤ２４を巻付ける。
【００３３】
ところで、従来のステータ用ボビンでは、ワイヤの離脱を防止するための鍔部がポール被覆部の先端部全周にわたって設けられており、メインフォーマ４５の上下ガイド部４０，４１はポール被覆部の先端部において前記鍔部との干渉を避けるべく上下に開くように作動しなければならない。このためポール被覆部の先端部ではワイヤ２４の巻付け位置を前記上下ガイド部４０，４１で定めることができず、ポール被覆部の先端部におけるワイヤ２４の巻付け位置がポール被覆部によって変化しがちとなっていた。しかるに上述のように、突起５５，５５に対応した溝５６，５７を有する上下ガイド部４０，４１を突起５５，５５の内面と面一となるように定めた状態でポール被覆部２３ａにワイヤ２４を巻付けることにより、ポール被覆部２３ａの先端部におけるワイヤ２４の巻付け位置を上下ガイド部４０，４１で確実に定めることができ、どのポール被覆部２３ａ…でもポール被覆部２３ａの先端部でのワイヤ２４の巻付け位置を一定に定めることが可能となるのである。
【００３４】
而して、この実施例では、ワイヤ２４が２層目の中間部まで巻付けられるので２層目のワイヤ２４がポール被覆部２３ａから離脱してしまわないようにポール被覆部２３ａの先端部に突起５５，５５が突設されている。そしてメインフォーマ４５の上下ガイド部４０，４１をポール被覆部２３ａ…の上下両面に当接した状態で前記突起５５，５５に位置を合わせることにより、ポール被覆部２３ａの先端部でのワイヤ２４の巻付け位置をどのポール被覆部２３ａ…でも一定に定めることが可能となる。
【００３５】
１層目のワイヤ２４の巻付けが完了した後には、図１３で示すように、メインフォーマ４５をポール被覆部２３ａの先端側から基端側に向けて順次移動せしめ、２層目のワイヤ２４をポール被覆部２３ａの中間部まで巻付けていき、所定位置までのワイヤ２４の巻付けが完了した状態でメインフォーマ４５をポール被覆部２３ａの外方側に移動させる。その後、巻付け位置Ｓに次のポール被覆部２３ａがもたらされたときには、図１４で示すように、メインフォーマ４５をポール被覆部２３ａの基端部まで移動させ、フライヤ３１をわずかに旋回させることにより、巻付け位置Ｓに在る空のポール被覆部２３ａの基端部の突起５４に、ステータコア２２の半径方向内方側からワイヤ２４がわずかに巻掛けられるようにした後、メインフォーマ４５およびフライヤ３１をポール被覆部２３ａの外方側の待機位置まで退避させる。
【００３６】
さらに、図１５で示すように、次の巻付け対象のポール被覆部２３ａが巻付け位置Ｓにもたらされたときに、ポール被覆部２３ａの外方側の待機位置まで退避していたメインフォーマ４５およびフライヤ３１をポール被覆部２３ａの基端部まで移動させ、図７〜図１３までに示した過程を再度繰返すことにより、図１６で示すように、次の巻付け対象のポール被覆部２３ａへのワイヤ２４の巻付けが行なわれることになる。しかもステータコア２２の周方向に沿って２つおきのポール被覆部２３ａ，２３ａにそれぞれ巻掛けられるワイヤ２４，２４は、それらのワイヤ２４，２４の一部であるわたり線２４ａにより相互に連なるものである。このわたり線２４ａは、図１４で示した過程で、ポール被覆部２３ａの基端部の突起５４にステータコア２２の半径方向内方側からワイヤ２４がわずかに巻掛けられたことにより、ワイヤ２４，２４が巻付けられた一対のポール被覆部２３ａ，２３ａ間に配置される他のポール被覆部２３ａ，２３ａがそれらの基端部に備える突起５４，５４よりもステータコア２２の半径方向内方側に配置されることになる。
【００３７】
次にこの第１実施例の作用について説明すると、ステータコア２２の軸線に沿う少なくとも一端側（この実施例では両端側）で各ポール被覆部２３ａ…の基端部には、ワイヤ２４を巻掛け得る突起５４，５４がそれぞれ突設されている。このためポール被覆部２３ａへのワイヤ２４の巻付け開始時に該ワイヤ２４を突起５４，５４に巻掛けておくことにより、ワイヤ２４の巻始め位置がポール被覆部２３ａの先端側にずれてしまうことを回避してワイヤ２４の巻始め位置を各ポール被覆部２３ａで同一位置に保持することができる。したがってボビン２３がその外周に備える複数のポール被覆部２３ａ，２３ａ…に同一の整列状態でワイヤ２４を巻付けることが可能となる。
【００３８】
しかもポール被覆部２３ａの縦断面形状は、ポール２２ｂの両側を覆う一対の側板部５１，５１と、ステータコア２２の軸線に沿うポール２２ｂの両端を覆って前記両側板部５１，５１の両端間を結ぶとともに外方側に半円状に膨らんだ一対の彎曲端部５３，５３とから成るものであり、ポール被覆部２３ａの外面との間に隙間が生じないようにしてワイヤ２４をポール被覆部２３ａに滑らかに巻付けることができ、ワイヤ２４に屈曲部が生じないようにしてワイヤ２４に損傷が生じるのを防止することができる。
【００３９】
またステータコア２２の周方向に２つおきのポール被覆部２３ａ，２３ａに巻き付けられる同種のワイヤ２４，２４は、わたり線２４ａで相互に接続されるのであるが、そのわたり線２４ａは、前記２つおきのポール被覆部２３ａ，２３ａ間に配置される他のポール被覆部２３ａ，２３ａがそれらの基端部に備える突起５４，５４よりもステータコア２２の半径方向内方側に配置される。したがってポール被覆部２３ａに巻付けられる２層のワイヤ２４のうち最外層のワイヤ２４の巻終わり位置がポール被覆部２３ａの中間部であっても、わたり線２４ａが他のポール被覆部２３ａに干渉することがないようにして、最外層のワイヤ２４をポール被覆部２３ａの中間部で巻終える構成とすることができる。
【００４０】
図１７は本発明の第２実施例を示すものであり、ステータコア２２の周方向に２つおきのポール被覆部２３ａ，２３ａに巻き付けられる同種のワイヤ２４，２４同士を結ぶわたり線２４ａが、全てのポール被覆部２３ａ，２３ａ…がそれらの基端部に備える突起５４，５４…よりもステータコア２２の半径方向内方側に配置される。すなわち或るポール被覆部２３ａでのワイヤ２４の巻付け完了後に、メインフォーマ４５をポール被覆部２３ａの基端部まで移動させてフライヤ３１をわずかに旋回させることにより、そのポール被覆部２３ａの基端部の突起５４にステータコア２２の半径方向内方側からワイヤ２４がわずかに巻掛けられる。その後、メインフォーマ４５およびフライヤ３１をポール被覆部２３ａの外方側の待機位置まで退避させ、次の巻付け対象のポール被覆部２３ａを巻付け位置Ｓにもたらすようにすることで、わたり線２４ａを全ての突起５４，５４…よりもステータコア２２の半径方向内方側に配置することが可能であり、この第２実施例によっても上記第１実施例と同様の効果を奏することができる。
【００４１】
以上、本発明の実施例を説明したが、本発明は上記実施例に限定されるものではなく、特許請求の範囲に記載された本発明を逸脱することなく種々の設計変更を行うことが可能である。
【００４２】
【発明の効果】
以上のように本発明によれば、巻付け位置にもたらされたポール被覆部の基端部の第１の突起にワイヤを巻掛けることにより、ワイヤの巻始め位置がポール被覆部の先端側にずれてしまうことを回避してワイヤの巻始め位置を各ポール被覆部で同一位置に保持することができ、各ポール被覆部に同一の整列状態でワイヤを巻付けることが可能となる。
【００４３】
また上記ポール被覆部の先端部に第２の突起が設けられるので、ワイヤの最外層が各ポール被覆部から離脱するのを防止することができる。而して、従来のステータ用ボビンでは、ワイヤの離脱を防止するための鍔部がポール被覆部の先端部全周にわたって設けられており、メインフォーマの一対のガイド部はポール被覆部の先端部において前記鍔部との干渉を避けるべく上下に開くように作動しなければならず、そのためポール被覆部の先端部ではワイヤの巻付け位置を両ガイド部で定めることができず、ポール被覆部の先端部におけるワイヤの巻付け位置がポール被覆部によって変化しがちとなっていたが、本発明では、第２の突起に対応した溝を有する一対のガイド部を第２の突起の内面と面一となるように定めた状態でポール被覆部にワイヤを巻付けることにより、ポール被覆部の先端部におけるワイヤの巻付け位置を両ガイド部で確実に定めることができ、どのポール被覆部でもポール被覆部の先端部でのワイヤの巻付け位置を一定に定めることが可能となる。
【００４４】
また請求項２記載の発明によれば、ポール被覆部の外面との間に隙間が生じないようにしてワイヤをポール被覆部に滑らかに巻付けることができ、ワイヤに屈曲部が生じないようにしてワイヤに損傷が生じるのを防止することができる。
【００４５】
さらに請求項３記載の発明によれば、ポール被覆部に巻付けられる複数層のワイヤのうち最外層のワイヤの巻終わり位置がポール被覆部の中間部であったとしても、わたり線が他のポール被覆部に干渉することがなく、最外層のワイヤをポール被覆部の中間部で巻終える構成とすることが可能となる。
【図面の簡単な説明】
【図１】  第１実施例を示すものであってボビンの一部を切欠いて示すステータの平面図
【図２】  ワイヤ巻付け前のステータコアおよびボビンの斜視図
【図３】  図２で示したステータコアおよびボビンの平面図
【図４】  巻線機の一部を示す斜視図
【図５】  ワイヤ巻付け途中の状態を図３の５−５線に沿って示す断面図
【図６】  図５の６−６線断面図
【図７】  ワイヤ巻始めの状態を示す平面図
【図８】  図７の状態での斜視図
【図９】  ワイヤ巻付け途中の状態を示す平面図
【図１０】  図９の状態での斜視図
【図１１】  一層目の巻終わり時を示す平面図
【図１２】  図１１の状態での斜視図
【図１３】  ポール被覆部へのワイヤ巻終わり状態を示す平面図
【図１４】  次のポール被覆部へのワイヤ巻付けまでの途中の状態を示す平面図
【図１５】  次のポール被覆部へのワイヤ巻始めの状態を示す平面図
【図１６】  次のポール被覆部へのワイヤ巻終わり状態を示す平面図
【図１７】  第２実施例の図１６に対応した平面図
【符号の説明】
２１・・・・ステータ
２２・・・・ステータコア
２２ａ・・・基部
２２ｂ・・・ポール
２３・・・・ボビン
２３ａ・・・ポール被覆部
２４・・・・ワイヤ
２４ａ・・・わたり線
２５・・・・スロット
２６・・・・サイドフォーマ
３０・・・・回転軸
３１・・・・フライヤ
３４・・・・ワイヤ支持部
４５・・・・メインフォーマ
４０，４１・・ガイド部
４２・・・・当接板部
４３・・・・ばね
５１・・・・側板部
５２・・・・彎曲端部
５４・・・・第１の突起
５５・・・・第２の突起
５６，５７・・溝
Ｓ・・・・・巻付け位置
【図１】
0004523692.tif 000002
【図２】
0004523692.tif 000003
【図３】
0004523692.tif 000004
【図４】
0004523692.tif 000005
【図５】
0004523692.tif 000006
【図６】
0004523692.tif 000007
【図７】
0004523692.tif 000008
【図８】
0004523692.tif 000009
【図９】
0004523692.tif 000010
【図１０】
0004523692.tif 000011
【図１１】
0004523692.tif 000012
【図１２】
0004523692.tif 000013
【図１３】
0004523692.tif 000014
【図１４】
0004523692.tif 000015
【図１５】
0004523692.tif 000016
【図１６】
0004523692.tif 000017
【図１７】
0004523692.tif 000018